(57)【要約】【課題】より確実にデジタルカメラの誤操作を防止する。【解決手段】デジタルカメラの表示部１４は、第一軸Ｚおよび第二軸Ｘを中心として回動自在に本体部１２に連結されている。カメラのメインＣＰＵは、この回動の状態をセンサで検出し、検出結果に基づいて表示部１４と本体部１２との相対姿勢関係を判断する。そして、表示部１４のＬＣＤ画面３８が本体部１２に向いており、かつ、表示部と本体部とのなす角度αが所定の基準値未満であると判断された場合（状態Ａ，Ｂの場合）、カメラは使用されないと判断し、外表面に設けられた操作スイッチ群３０を無効化する。【選択図】図２
2007096888.tif 000002
【特許請求の範囲】
【請求項１】
撮像画像を電気的に表示する表示画面を備えたデジタルカメラであって、
撮像系を備えた本体部と、
撮像画像を電気的に表示する表示画面が一壁面に形成された表示部であって、本体部との相対姿勢関係が変更可能な表示部と、
本体部と表示部との相対姿勢関係を検出する姿勢検出手段と、
本体部および表示部の少なくとも一方の外表面に形成され、ユーザからの操作指示を受け付ける操作スイッチと、
姿勢検出手段で検出された相対姿勢に応じて、操作スイッチの有効、無効を切り替える切替手段と、
を備えることを特徴とするデジタルカメラ。
【請求項２】
請求項１に記載のデジタルカメラであって、
切替手段は、表示画面と本体部が向かい合い、かつ、表示部と本体部とのなす角度が所定の基準値未満であると判断された場合に操作スイッチを無効にすることを特徴とするデジタルカメラ。
【請求項３】
請求項１または２に記載のデジタルカメラであって、さらに、
姿勢検出手段で検出された相対姿勢に応じて、カメラの電源状態を制御する電源制御手段を備えることを特徴とするデジタルカメラ。
【請求項４】
請求項３に記載のデジタルカメラであって、
電源制御手段は、表示画面と本体部が向かい合い、かつ、表示部と本体部とのなす角度が所定の基準値未満であると判断された場合に電源オフ状態にすることを特徴とするデジタルカメラ。
【請求項５】
請求項３または４に記載のデジタルカメラであって、
電源制御手段は、表示画面と本体部が向かい合い、かつ、表示部と本体部とのなす角度が所定の基準値未満の状態から所定の基準値以上の状態に遷移したと判断された場合に電源オン状態にすることを特徴とするデジタルカメラ。
【請求項６】
請求項１から５のいずれか１項に記載のデジタルカメラであって、さらに、
姿勢検出手段で検出された相対姿勢に応じて、表示画面の天地を判断するとともに、判断された天地に応じて表示画像を回転させる画像表示制御手段を備えることを特徴とするデジタルカメラ。
【請求項７】
請求項１から６のいずれか１項に記載のデジタルカメラであって、
表示部は、連結手段を介して本体部に連結されており、
連結手段は、
本体部の端部に設定された第一軸を中心として本体部に対して回動自在の第一ヒンジ部材と、
第一軸に直交する第二軸を中心として第一ヒンジ部材に対して回動自在の第二ヒンジ部と、
を備えていることを特徴とするデジタルカメラ。
【請求項８】
請求項７に記載のデジタルカメラであって、
姿勢検出手段は、
第一ヒンジ部材および第二ヒンジ部材それぞれの回転状態を検出する二つの回転状態検出手段と、
二つの回転状態検出手段の検出結果に基づいて表示部と本体部との相対位置関係を判断する判断手段と、
を備えることを特徴とするデジタルカメラ。
【発明の詳細な説明】
【技術分野】
【０００１】
本発明は、撮像画像を電気的に表示する表示画面を備えたデジタルカメラに関する。
【背景技術】
【０００２】
撮像画像を電気的に表示する表示部とカメラ本体部との相対姿勢関係が可変のデジタルカメラが広く知られている。そして、かかるデジタルカメラにおいて、表示部と本体部との相対姿勢関係に応じて、カメラの各種制御を切り替えることが提案されている。
【０００３】
例えば、特許文献１には、撮像光学系を有する第一の筐体と、撮像された画像を有する表示部を備えた第二の筐体と、を単一のヒンジを介して回転可能に連結したカメラが開示されている。このカメラでは、第二の筐体が第一の筐体に重ね合わされている状態から予め定められた角度以上開かれた場合に主電源をオン状態とする。
【０００４】
また、特許文献２には、撮像された画像を表示する液晶ディスプレイを、カメラ本体に対して回動可能に取り付けられたカメラが開示されている。このカメラでは、液晶ディスプレイの回動角度がセンサにより検出される。そして、回動角度が上下方向または左右方向に例えば９０度以上になると、撮像画像が蓄積されている画像メモリへのアドレスの方向が上下方向または左右方向に切り替え、画面が上下または左右反転する。
【０００５】
特許文献３には、二つの携帯を備えたカメラ付き携帯電話が開示されている。このカメラ付き携帯電話では、第一の筐体に対して、第二の筐体が二軸回転可能に構成されている。このカメラでは、第二の筐体の表面に設けられた表示部が外側に露出しているか否かで、当該表示部への通電状態が切り替えられている。
【０００６】
【特許文献１】特開２００２−１５２５７４号公報
【特許文献２】特開平９−２３３６０号公報
【特許文献３】特開２００５−１２３７８６号公報
【発明の開示】
【発明が解決しようとする課題】
【０００７】
しかしながら、従来技術では、二つの筐体の相対姿勢関係に応じて、画像の表示態様や電源のオンオフ状態を切り替えることは記載されているものの、それ以外の制御切替については記載されていない。ここで、通常、デジタルカメラでは、当該カメラを操作するためのスイッチが筐体の外表面に設けられており、電源オフにした状態でも外部に露出している。かかる状態で、カメラをカバン等にいれて搬送すると、誤って操作スイッチが押下されるという問題がある。上記の特許文献１〜３はいずれも、かかる問題については重視されていない。
【０００８】
そこで、本発明では、より確実に誤操作を防止でき得るデジタルカメラを提供することを目的とする。
【課題を解決するための手段】
【０００９】
本発明のデジタルカメラは、撮像画像を電気的に表示する表示画面を備えたデジタルカメラであって、撮像系を備えた本体部と、撮像画像を電気的に表示する表示画面が一壁面に形成された表示部であって、本体部との相対姿勢関係が変更可能な表示部と、本体部と表示部との相対姿勢関係を検出する姿勢検出手段と、本体部および表示部の少なくとも一方の外表面に形成され、ユーザからの操作指示を受け付ける操作スイッチと、姿勢検出手段で検出された相対姿勢に応じて、操作スイッチの有効、無効を切り替える切替手段と、を備えることを特徴とする。
【００１０】
好適な態様では、切替手段は、表示画面と本体部が向かい合い、かつ、表示部と本体部とのなす角度が所定の基準値未満であると判断された場合に操作スイッチを無効にする。
【００１１】
別の好適な態様では、さらに、姿勢検出手段で検出された相対姿勢に応じて、カメラの電源状態を制御する電源制御手段を備える。この場合、電源制御手段は、表示画面と本体部が向かい合い、かつ、表示部と本体部とのなす角度が所定の基準値未満であると判断された場合に電源オフ状態にすることが望ましい。また、電源制御手段は、表示画面と本体部が向かい合い、かつ、表示部と本体部とのなす角度が所定の基準値未満の状態から所定の基準値以上の状態に遷移したと判断された場合に電源オン状態にすることも望ましい。
【００１２】
別の好適な態様では、姿勢検出手段で検出された相対姿勢に応じて、表示画面の天地を判断するとともに、判断された天地に応じて表示画像を回転させる画像表示制御手段を備える。
【００１３】
別の好適な態様では、表示部は、連結手段を介して本体部に連結されており、連結手段は、本体部の端部に設定された第一軸を中心として本体部に対して回動自在の第一ヒンジ部材と、第一軸に直交する第二軸を中心として第一ヒンジ部材に対して回動自在の第二ヒンジ部と、を備えている。この場合、姿勢検出手段は、第一ヒンジ部材および第二ヒンジ部材それぞれの回転状態を検出する二つの回転状態検出手段と、二つの回転状態検出手段の検出結果に基づいて表示部と本体部との相対位置関係を判断する判断手段と、を備えることが望ましい。
【発明の効果】
【００１４】
本発明によれば、本体部と表示部との相対姿勢関係を検出し、その検出結果に応じて、操作スイッチの有効、無効を切り替えるため、誤ったスイッチ操作が防止される。その結果、より確実に誤操作を防止できる。
【発明を実施するための最良の形態】
【００１５】
以下、本発明の実施形態について図面を参照して説明する。図１は、本発明の実施形態であるデジタルカメラ１０の構成を示すブロック図である。このデジタルカメラ１０は、本体部１２と表示部１４に大別される。表示部１４は、後述する連結部材４０を介して本体部１２に連結されており、本体部１２に対する姿勢が変更自在となっている。
【００１６】
本体部１２には、カメラ全体を制御するメインＣＰＵ３２や撮像レンズ系１８、撮像素子１６等が設けられている。撮像レンズ系１８を介して入力された被写界光は、ＣＣＤ等の撮像素子１６により光電変換され、撮像信号として出力される。撮像信号は、信号処理部２０によりＡ／Ｄ変換や、圧縮処理、ホワイトバランス調整等の信号処理が施され、画像信号としてメインＣＰＵ３２に出力される。メインＣＰＵ３２は、入力された画像信号をＲＡＭ３４や、図示しないフラッシュメモリ等の記憶媒体に記録する。また、メインＣＰＵ３２は、得られた画像信号を、必要に応じて、表示部１４に設けられたＬＣＤ画面３８に出力する。
【００１７】
撮像レンズ系１８は、複数枚のレンズや絞り部材等から構成されている。この複数枚のレンズや絞り部材を、図示しないモータにより駆動することにより、フォーカス調整、絞り調整、ズーム調整が実行される。撮像系ドライバ２２は、撮像系ＣＰＵ２４から入力されるレンズ等の駆動量に基づいて、モータの駆動信号を生成し、出力する。
【００１８】
撮像系ＣＰＵ２４は、既述の撮像系ドライバ２２や、撮像素子１６の駆動を制御するＣＰＵであり、ユーザからの撮像指示に基づいて撮像系ドライバ２２や撮像素子１６に制御信号を出力する。ユーザからの撮像指示は、本体部１２の外表面に形成された操作スイッチ群３０を介して入力される。すなわち、本体部１２の外表面には、電源スイッチやレリーズスイッチ、ズームスイッチ等が設けられており、ユーザは適宜、これらのスイッチを操作することで、カメラに操作指示を与える。
【００１９】
測距センサ２８は、被写体距離を測定するセンサであり、その検出結果は、撮像系ＣＰＵ２４に出力される。撮像系ＣＰＵ２４は、これらの検出結果に応じて、既述のレンズ等の駆動量を算出する。
【００２０】
表示部１４には、画像を表示するＬＣＤ画面３８と、当該ＬＣＤ画面３８での表示内容に関するユーザからの操作指示を受け付ける操作スイッチ群３６が設けられている。ＬＣＤ画面３８は、メインＣＰＵ３２と電気的に接続されており、ユーザからの指示に応じて、メインＣＰＵ３２から出力された画像を電気的に表示する。ここで表示される画像としては、過去に撮像されて記憶媒体に記憶された撮像済画像と、現在、撮像素子に入力されている画像と、がある。前者は、撮像済み画像の再生モードで表示される。また、後者は撮影時にユーザが被写体画像を確認するために表示されるもので、撮像モードにおいて表示される。すなわち、このＬＣＤ画面３８は、撮像済み画像を表示する再生用モニタとして機能するとともに、これから撮影する画像を表示する電子ファインダとしても機能する。
【００２１】
操作スイッチ群３６は、ＬＣＤ画面３８での表示内容に関する指示を受け付ける複数の操作スイッチで構成されている。この操作スイッチ群３６に設けられているスイッチとしては、例えば、ＬＣＤ画面３８で表示する撮像画像の切り替え指示スイッチや、表示画像の拡大スイッチなどがある。なお、この操作スイッチ群３６は、ＬＣＤ画面３８と同一面に形成されている。
【００２２】
連結部材４０は、表示部１４を回動自在に本体部１２に連結する部材である。この連結部材の回転状態、ひいては、表示部１４の本体部１２に対する回転状態は、回転状態検出センサ４２で検出される。検出された回転状態は、メインＣＰＵ３２に出力される。メインＣＰＵ３２は、この検出された回転状態に応じて、各種の制御態様を切り替える。この連結部材および回転状態検出センサの具体的な構成、および、制御部での制御切替態様については、後に詳説する。
【００２３】
次に、この表示部１４の動きについて図２を用いて説明する。図２には、ＬＣＤ画面３８を本体部１２に向けて表示部１４と本体部１２とを重ねた（折り畳んだ）状態Ａから、ＬＣＤ画面３８を外側に向けて表示部１４と本体部１２とを重ねた（折り畳んだ）状態Ｋまでの表示部１４の動きを図示している。
【００２４】
表示部１４は、既述したように連結部材４０によって本体部１２に連結されており、本体部１２に対して互いに直交する二軸を中心として回動自在となっている。連結部材４０は、本体部１２の背面端部において本体部１２の短辺方向に設定された第一軸Ｚを中心として回動自在の第一ヒンジ部材と、第一軸Ｚに直交する第二軸Ｘを中心として第一ヒンジ部材に対して回動自在の第二ヒンジ部材と、を備えている。表示部１４は、この第二ヒンジ部材および第一ヒンジ部材を介して本体部１２に連結されている。
【００２５】
表示部１４を状態Ａから状態Ｋに姿勢変化させる場合、まず、表示部１４を第一軸Ｚを中心として回動させ、表示部１４の長辺と本体部１２の長辺との成す角度を広げる。以下では、この表示部１４の長辺と本体部１２の長辺との成す角度を開角度αと呼ぶ。つまり、表示部１４を折り畳んだ状態Ａ、Ｋでは開角度０度、表示部１４を完全に展開した状態Ｅ、Ｈでは開角度１８０度となる。
【００２６】
状態Ｅのように開角度１８０度になるまで表示部１４を展開すれば、続いて、表示部１４を第二軸Ｘを中心として回動させ、表示部１４の短辺と本体部１２との短辺との成す角度を変化させる。以下では、この表示部１４の短辺と本体部１２との短辺との成す角度を仰角度βと呼ぶ。表示部１４を第二軸Ｘを中心として手前側に回動させ、仰角度９０度とした状態が、状態Ｆである。さらに、第二軸を中心として回動させ仰角度１８０度とした状態が状態Ｈとなる。この状態Ｈにおいて表示部１４は、状態Ｅの場合と比較して左右、上下が反転している状態となっている。
【００２７】
撮影者が自身を撮影したい場合には、この状態Ｈのような状態で撮影を行う。すなわち、この状態Ｈにおいては、カメラのレンズとＬＣＤ画面３８とが同じ方向を向いている。したがって、撮影者は、自身にレンズを向けた状態で、当該レンズを通じて撮影される画像をＬＣＤ画面３８で確認することができる。
【００２８】
状態Ｈから、さらに、第一軸Ｚを中心として表示部１４を回動させ、開角度αを小さくしていくことで、状態Ｋのように、ＬＣＤ画面３８を外側に向けて表示部１４を折り畳むことができる。この状態Ｋは、通常の撮影、すなわち、撮影者以外のものを撮影する場合に多用される状態である。撮影者は、ＬＣＤ画面３８に表示される画像を見ながら本体部１２の操作スイッチ群３０を操作して、被写体の撮影を行う。また、撮像済み画像を再生表示する場合にも状態Ｋが多用される。操作者は、ＬＣＤ画面３８を見ながら、表示部１４の操作スイッチ群３６を操作し、所望の画像を表示させる。なお、図２から明らかなように、この状態Ｋにおいても、表示部は、状態Ａや状態Ｅの場合に比べてＬＣＤ画面３８の左右上下が反転している。
【００２９】
以上の説明から明らかなように本実施形態のデジタルカメラ１０は、表示部１４と本体部１２との相対姿勢関係を多様に変化させることができる。この相対姿勢関係の変化は、既述の回転状態検出センサ４２およびメインＣＰＵ３２により検出される。すなわち、回転状態検出センサ４２は、第一ヒンジ部材および第二ヒンジ部材の回転状態を検出し、メインＣＰＵ３２に出力する。メインＣＰＵ３２は、検出された二つのヒンジ部材の回転状態から表示部１４および本体部１２の相対姿勢関係を判断する。そして、メインＣＰＵ３２は、判断された表示部１４と本体部１２との相対姿勢関係の変化に応じて、各種制御、具体的には、画像表示制御や、電源制御、操作スイッチの有効性制御等を切り替えている。以下、この制御の切り替え態様について説明する。
【００３０】
はじめに、表示部１４と本体部１２との相対姿勢関係の検出について説明する。図３は、表示部１４、連結部材４０および回転状態検出センサ４２の斜視図である。連結部材４０の第一ヒンジ部材５０は、本体部１２に固着される本体側金具５４と、表示部１４に固着される表示側金具５８と、本体側金具５４と表示側金具５８とを連結する第一軸部材５６と、から構成される。第一軸部材５６の端面には、面状カム５９が形成されている。この面状カム５９は、表示側金具５８に設けられた第一リミットスイッチ６０と協働して、第一ヒンジ部材５０の表示側金具５８の回動角度、換言すれば、表示部１４の開角度αを検出する第一センサとして機能する。第一リミットスイッチ６０は、先端が面状カム５９の高い部分に当接し、面状カム５９の低い部分には当接しない位置に設けられている。そして、表示部１４および表示側金具５８が第一軸部材５６を中心として回動することにより、第一リミットスイッチ６０と面状カム５９との相対位置関係が変化すると、第一リミットスイッチ６０がオンまたはオフになる。本実施形態では、開角度αが０度以上３０度未満の場合に第一リミットスイッチ６０がオフとなり、開角度が３０度以上３６０度未満の場合に第一リミットスイッチ６０がオンになるように面状カムを形成している。つまり、第一リミットスイッチ６０のオン、オフ状態を検出することで開角度が３０度以上か否かがわかることになる。
【００３１】
第二ヒンジ部材５２は、表示側金具５８に挿通された軸部材である。この第二ヒンジ部材５２の一端は、表示側金具５８から突出し、他端は表示部１４に固着されている。そして、この第二ヒンジ部材５２は、表示部１４とともに回動する構成となっている。第二ヒンジ部材５２の側面には円周カム５３が形成されている。この円周カム５３は、表示側金具５８に設けられた第二リミットスイッチ６２と協働して、第二ヒンジ部材５２の回動角度、つまり、表示部１４の仰角度βを検出する第二センサとして機能する。第二リミットスイッチ６２は、その先端が第二ヒンジ部材５２の側面の円周カム５３の凸部に当接し、円周カム５３の凹部には当接しない位置に設けられている。したがって、表示部１４が第二ヒンジ部材５２を中心として回動し、第二リミットスイッチ６２と円周カム５３との相対位置関係が変化することで第二リミットスイッチ６２がオン、オフが切り替わる。本実施形態では、仰角度βが−９０度以上＋９０度未満の場合に第二リミットスイッチ６２がオフとなり、仰角度が＋９０度以上＋１８０度未満、および、−１８０度以上−９０度未満の場合に第二リミットスイッチ６２がオンになるように円周カム５３を形成している。つまり、この第二リミットスイッチ６２のオン、オフ状態を検出することで仰角度が−９０度以上＋９０度未か否かがわかることになる。
【００３２】
メインＣＰＵ３２は、この第一、第二リミットスイッチ６０，６２からの出力信号の組み合わせに基づいて、表示部１４と本体部１２との相対姿勢関係を判断する。
【００３３】
図４は、各リミットスイッチ６０，６２のオンオフと表示部１４の姿勢との関係を示す表である。図４に示すとおり、第一リミットスイッチ６０、第二リミットスイッチ６２のいずれもがオフの場合、表示部１４と本体部１２との相対姿勢関係は、図２における状態Ａまたは状態Ｂのように、ＬＣＤ画面３８が本体部１２に向いており、開角度αが小さい（３０度未満）状態であると判断できる。すなわち、ユーザからＬＣＤ画面３８がほとんど見えない状態である。一方、第一リミットスイッチ６０がオン、第二リミットスイッチ６２がオフの場合は、図２における状態Ｄから状態Ｆのような状態であると判断できる。すなわち、ユーザからＬＣＤ画面３８が見えており、また、ＬＣＤ画面３８が状態Ａからみて反転していない状態である。第一リミットスイッチ６０、第二リミットスイッチ６２がともにオンの場合、表示部１４は状態Ｈまたは状態Ｉのように、ユーザからＬＣＤ画面３８が見えており、また、ＬＣＤ画面３８が状態Ａからみて反転している状態であると判断できる。最後に、第一リミットスイッチ６０がオフであり、第二リミットスイッチ６２がオンの場合、表示部１４は状態Ｊまたは状態Ｋのように、ユーザからＬＣＤ画面３８が見えており、また、ＬＣＤ画面３８が状態Ａからみて反転している状態であると判断できる。メインＣＰＵ３２は、以上のような第一リミットスイッチ６０、第二リミットスイッチ６２のオン、オフ状態から表示部１４と本体部との相対姿勢関係を判断する。そして、この判断結果に基づいて各種制御を切り替える。
【００３４】
切り替えがなされる制御の一つとして画像の表示制御がある。メインＣＰＵ３２は、表示部の仰角度が＋９０度以上＋１８０度未満、または、−１８０度以上−９０度未満の場合、すなわち、図２における状態Ｇから状態Ｋのような場合には、表示画像を左右反転および上下反転させる。これは、ＬＣＤ画面３８が状態Ａから比較して上下、左右反転するためである。すなわち、図２における状態Ｇ〜Ｋの場合、ＬＣＤ画面３８は、図２における状態Ａ〜Ｅに比べて、上下左右が反転している。かかるＬＣＤ画面３８に、仰角度−９０度以上＋９０度未満の場合と同様の表示態様で画像を表示した場合、ユーザからは画像が上下、左右反転しているように見える。そこで、メインＣＰＵ３２は、仰角度が＋９０度以上＋１８０度未満、または、−１８０度以上−９０度未満であると判断した場合は、表示画像を左右反転および上下反転させる。これにより、ユーザは、自然な状態で画像を見ることができる。
【００３５】
また、メインＣＰＵ３２は、表示部１４と本体部１２との相対姿勢関係に応じて、カメラの電源状態も切り替える。既述したようにＬＣＤ画面３８は電子ファインダや再生モニタとして機能する。したがって、通常、撮影時、画像再生時のいずれの場合であっても、ユーザは、ＬＣＤ画面３８を観察する必要がある。つまり、何らかの形でユーザがカメラを使用する場合、ＬＣＤ画面３８が外側に向いている必要がある。換言すれば、図２における状態Ａや状態Ｂのように、ＬＣＤ画面３８が本体部に向いており、かつ、開角度αが小さい場合、ユーザはカメラを使用しないと判断できる。この場合、メインＣＰＵ３２は、自動的にカメラ電源をオフにする。すなわち、第一リミットスイッチ６０、第二リミットスイッチ６２がともにオフの場合、メインＣＰＵ３２は強制的にカメラ電源をオフにする。これにより、カメラ電源の切り忘れを防止できる。
【００３６】
逆に、状態Ａ、状態Ｂ以外の場合、すなわち、ＬＣＤ画面３８がユーザから見やすい位置にあると判断された場合には、カメラ電源を自動的にオンにする。これにより、より早く、簡便にカメラを起動することができる。
【００３７】
さらに、メインＣＰＵ３２は、本体部１２と表示部１４との相対姿勢関係に応じて操作スイッチ群３０，３６の有効性も制御する。具体的には、状態Ａや状態ＢのようにＬＣＤ画面３８がユーザから見えにくい位置にあると判断できた場合には、操作スイッチ群３０，３６を無効にする。すなわち、ＬＣＤ画面３８が本体部１２に向いており、かつ、開角度αが小さい場合には、操作スイッチ群３０，３６、例えば、電源スイッチ等が操作されても、これを無効とする。これにより、ユーザの意図に反するカメラの操作が防止できる。例えば、デジタルカメラ１０を鞄等に入れて運んだときに、誤って主電源スイッチが押下される場合がある。しかし、本実施形態によれば、ＬＣＤ画面３８が本体部１２に向いており、かつ、開角度αが小さい場合には、たとえ電源スイッチが操作されても、これを無効にするため、誤った電源投入が防止される。
【００３８】
以上の説明から明らかなように本実施形態によれば、表示部１４と本体部１２との相対姿勢関係の変化に応じて各種制御を切り替えているため、デジタルカメラの操作性をより向上でき、また、誤操作を防止できる。
【００３９】
なお、既述の制御の切替態様は、一例であり、適宜、変更してもよい。例えば、本実施形態で制御切替の基準値として示した開角度０度以上３０度未満や、仰角度−９０度以上＋９０度未満、などの数値は適宜変更してよい。例えば、本実施形態では、ＬＣＤ画面が本体部に向いており、かつ、開角度αが小さい場合にのみ、操作スイッチを無効に切り替えている。しかし、当然ながら、他の条件を満たした場合でも、操作スイッチを無効にしてもよい。例えば、開角度αが６０度以上１２０度未満の状態、すなわち、図２における状態Ｄや状態Ｉの状態のままで、撮影や画像再生動作が行われるとは考えにくい。開角度αが６０度以上１２０度未満の状態の場合は、表示部１４の姿勢変更の途中であると考えられる。この姿勢変更の途中で誤って操作スイッチが操作される場合がある。そこで、かかる姿勢変更の途中と判断される場合、具体的には、開角度αが６０度以上１２０度未満にも、操作スイッチを無効としてもよい。また、同様に、仰角度βが＋６０度以上＋１２０度未満の場合、−１２０度以上−６０度未満の場合にも、姿勢変更の途中であると判断し、操作スイッチを無効化してもよい。
【００４０】
また、本実施形態では、二つのリミットスイッチ６０，６２の出力に基づいて表示部の回転状態を検出しているが、当然、他のセンサ等を用いてもよい。例えば、表示部１４に方向センサ（オリエンテーションセンサなど）を設け、このセンサの出力に基づいて、仰角度を検出するようにしてもよい。
【図面の簡単な説明】
【００４１】
【図１】本発明の実施形態であるデジタルカメラの構成を示すブロック図である。
【図２】表示部の動きを示す図である。
【図３】連結部材の構成を示す斜視図である。
【図４】リミットスイッチのオンオフ状況と各種制御の切替との関係を示す表である。
【符号の説明】
【００４２】
１０  デジタルカメラ、１２  本体部、１４  表示部、１６  撮像素子、１８  撮像レンズ系、２０  信号処理部、２２  撮像系ドライバ、２４  撮像系ＣＰＵ、２８  測距センサ、３２  メインＣＰＵ、３０，３６  操作スイッチ群、３８  ＬＣＤ画面、４０  連結部材、４２  回転状態検出センサ、６０，６２  リミットスイッチ。
【図１】
2007096888.tif 000003
【図２】
2007096888.tif 000004
【図３】
2007096888.tif 000005
【図４】
2007096888.tif 000006